(57)【要約】    【課題】  本発明の課題は、被加工板の帯状材料を通板して所望品を打抜き形成するに際し、帯状材料が蛇行してもガイド装置は損傷することなくガイドの役割を果たし、打抜き作動を制約しないガイド機能を備えた順送り金型装置を提供することにある。    【解決手段】  本発明に関わる順送り金型装置は、通板ラインＬを形成する通板路Ｌ1を間欠的に通板される被加工板ｔを、複数配設した金型装置で順次打抜き加工する順送り金型装置１であって、金型装置の通板路Ｌ1を挟んでその外側に配設されるとともに通板ラインＬに向けて付勢され通板ラインＬに対して進退可能であり、通板される被加工板ｔに接触して被加工板ｔが通板路Ｌ1に沿うよう案内するガイドリフターロール２を各金型装置設置領域に少なくとも１対設けている。    【選択図】  図２
2007160358.tif 000002
【特許請求の範囲】
【請求項１】
通板ラインを形成する通板路を間欠的に通板される被加工板を、複数配設した金型装置で順次打抜き加工する順送り金型装置であって、
前記金型装置の通板路を挟んでその外側に配設されるとともに通板ラインに向けて付勢され該通板ラインに対して進退可能であり、通板される被加工板に接触して該被加工板が前記通板路に沿うよう案内するガイドリフターロールを各金型装置設置領域に少なくとも１対設けた
ことを特徴とする順送り金型装置。
【請求項２】
前記ガイドリフターロールは、垂直に配設された第１弾性体上に台座を介して載置されるとともに垂直軸廻りに回転可能に立設され、かつ、
前記ガイドリフターロールを通板ラインに向けて水平方向に押圧する摺動支持部材を付勢する第２弾性体を該ガイドリフターロールの側方に設けた
ことを特徴とする請求項１に記載の順送り金型装置。
【発明の詳細な説明】
【技術分野】
【０００１】
本発明は、間欠送りされる被加工金属板を複数設置した金型装置で順次打抜いて所望の打抜き片を形成し、被加工板から外形抜きしてカシメ積層する順送り金型装置に関する。
【背景技術】
【０００２】
順送り金型装置は、間欠送りされてくる被加工金属板を複数設置した金型装置で順次打抜き所望の打抜き片、例えば鉄心片を形成し、この打抜き片を被加工金属板から外形抜きしてカシメ積層し、例えば電動機の固定子鉄心を形成している。
【０００３】
順送り金型装置で被加工板から所望品を打抜き形成するに際して、被加工板である帯状金属材料から歩留まりよく所望品、例えば鉄心片やリードフレーム等を形成するためには、所望品の幅サイズより僅かしか幅広でない帯状金属材料から打抜き加工が行われる。  また、所望品を打抜き形成する場合、生産性を高めるべく出来るだけ高速で帯状金属材料を間欠送りすることが望まれる。
【０００４】
かかる事情から、順送り金型装置で通板してくる帯状金属材料から所望品を打抜き形成する際、帯状金属材料が蛇行することがあり、打抜き不良が発生する場合がある。  また、送りガイドロールが帯状材料との衝突で損傷することがある。
【０００５】
これらの問題の従来の対策として、例えば特許文献１に開示されている技術がある。  特許文献１においては、平面図の図３に示すように、プレス加工装置１００の帯板状ワーク１０２の通板路(図３中の矢印Ｓ)の側方に帯板状ワーク１０２の側部１０２ａに接して案内するリフターピン１０３を設けるとともに、一対のワークガイド１０９、１０９を通板路Ｓに対して進退可能に設け、該ワークガイド１０９、１０９により帯板状ワーク１０２をガイドし、リフターピン１０３に接触させ通板させている。
【０００６】
特許文献１の構成によれば、帯板状ワーク１０２のダイプレート１０１上における蛇行が防止され、プレス加工を自動的に行える効果がある。
【特許文献１】特開平９-１７４２９５号公報
【発明の開示】
【発明が解決しようとする課題】
【０００７】
ところで、上述の構成においては、リフターピン１０３の他にワークガイド１０９、１０９を設け、これをダイブレート１０１内に進退させねぱならず、装置構成がその分、増加する。  また、ワークガイド１０９、１０９がダイプレート１０１ヘ進行する動作があるため、打抜き作動が制約され生産性が低下する問題がある。
【０００８】
本発明は上記実状に鑑み、被加工板の帯状材料を通板して所望品を打抜き形成するに際し、帯状材料が蛇行してもガイド装置は損傷することなくガイドの役割を果たし、打抜き作動を制約しないガイド機能を備えた順送り金型装置の提供を目的とする。
【課題を解決するための手段】
【０００９】
上記目的を達成するべく、本発明の請求項１に関わる順送り金型装置は、通板ラインを形成する通板路を間欠的に通板される被加工板を、複数配設した金型装置で順次打抜き加工する順送り金型装置であって、前記金型装置の通板路を挟んでその外側に配設されるとともに通板ラインに向けて付勢され該通板ラインに対して進退可能であり、通板される被加工板に接触して該被加工板が前記通板路に沿うよう案内するガイドリフターロールを各金型装置設置領域に少なくとも１対設けている。
【００１０】
本発明の請求項２に関わる順送り金型装置は、請求項１に記載の順送り金型装置において、前記ガイドリフターロールは、垂直に配設された第１弾性体上に台座を介して載置されるとともに垂直軸廻りに回転可能に立設され、かつ、前記ガイドリフターロールを通板ラインに向けて水平方向に押圧する摺動支持部材を付勢する第２弾性体を該ガイドリフターロールの側方に設けている。
【発明の効果】
【００１１】
以上、詳述した如く、本発明の請求項１に関わる順送り金型装置によれば、金型装置内に進行してきた被加工板は、ガイドリフターロールで幅方向の両端を支持され、例え蛇行して搬送されても、ガイドリフターロールが追随して動くとともに被加工板の幅方向中心が通板路中心に合うように案内して蛇行を防止する。
【００１２】
そのため、被加工板の幅寸法が所望打抜き品の幅よリ僅かしか大きくなくとも、打抜き不良を生じることなく各金型装置で所望の打抜き加工が行なえる。  また、ガイドリフターロールは、通板路の直交方向に動き得るので被加工板に固定した状態で接しないため、搬送される被加工板による損傷を受けることなく、長期に亘り使用可能である。
【００１３】
本発明の請求項２に関わる順送り金型装置によれば、通板してきた被加工板が水平又は垂直方向に蛇行して通板路から外れようとすることがあっても、この動きに通板路の外側のガイドリフターロールは随行するとともに、第１弾性体、第２弾性体の作用により蛇行を矯正して正常に戻し、且つ、該ガイドリフターロール自体は自在に回転して被加工板をガイドする。
【００１４】
これにより、被加工板は金型装置の通板路から外れることなく間欠通板され、停止したところでパイロットホールが打抜き形成され、或いは、後段の金型装置では被加工板のパイロツトホールにパイロットピンが無理なく円滑に挿入され、所望の打抜き加工が精度良くなされる。
【発明を実施するための最良の形態】
【００１５】
以下、本発明の実施形態について添付図面を参照して説明する。
【００１６】
本発明を適用した実施例の順送り金型装置１は、電動機の回転子、固定子に用いる積層鉄心を形成するための装置であり、その上面図の図１に示すように、母材の帯状鋼板(被加工板)ｔの通板ラインＬに沿って順次、所定のプレス加工を行なう各金型装置(図示せず)がそれぞれ配設されたステーションＳ１〜Ｓ９を具備している。
【００１７】
ここで、ステーションＳ１は、加工に際して帯状鋼板ｔの位置決め用のパイロットホールｐを打ち抜き加工するステーションである。  ステーションＳ２〜ステーションＳ４は、電動機の回転子の積層鉄心を形成するステーションであり、ステーションＳ２は、帯状鋼板ｔに回転子鉄心片Ｒの軸孔ｊを打ち抜き加工するステーションであり、ステーションＳ３は、帯状鋼板ｔに回転子鉄心片Ｒのカシメ部ｋ1を打ち抜き形成するステーションであり、ステーションＳ４は、帯状鋼板ｔから回転子鉄心片Ｒ外形を打ち抜きして回転子鉄心片Ｒ同士をカシメ積層するステーションである。
【００１８】
ステーションＳ５〜ステーションＳ７は、電動機の固定子の積層鉄心を形成するステーションであり、ステーションＳ５は、帯状鋼板ｔに磁極間のスロットｓを打ち抜き加工するステーションであり、ステーションＳ６は、帯状鋼板ｔに固定子鉄心片Ｋのカシメ部ｋ2を打ち抜き形成するステーションであり、ステーションＳ７は、帯状鋼板ｔから固定子鉄心片Ｋ外形を打ち抜きして固定子鉄心片Ｋ同士をカシメ積層するステーションである。
【００１９】
順送り金型装置１には、複数のガイドリフターロール２が各ステーションの金型装置の通板路Ｌ1を挟んでその外側に、少なくとも一対配設されている。  このガイドリフターロール２は、被加工材である帯状鋼板ｔの搬送に際して、図１のＡ−Ａ線断面図の図２(ａ)に示すように、帯状鋼板側部ｔ1、ｔ1を短径の円柱状の案内溝部２ｍに接触させて案内し、帯状鋼板ｔが図１に示す通板路Ｌ1から外側にズレた場合には通板ラインＬ側に押し戻す(図１参照)とともに、上下方向にズレた場合には上下方向の定常位置に押し戻し(図２(ａ)参照)、帯状鋼板ｔの搬送が正常に行なわれるように構成されている。
【００２０】
ガイドリフターロール２は、図２(ａ)、(ａ)図のＢ−Ｂ線断面図の図２(ｂ)に示すように、ダイプレート３のガイド用長穴２ｈ内において垂直軸廻りに回転自在に支持されている。  また、ガイドリフターロール２は、通板ラインＬに直交してその中心に向けて圧縮コイルバネ(第２弾性体)ｅ2により付勢され(図１中の矢印ａ方向)通板ラインＬに対して進退可能であるとともに、下方からロール台座５ｂを介して圧縮コイルバネ(第１弾性体)ｅ1により上向きに付勢され弾性的に支持されている。
【００２１】
ガイドリフターロール２は、図２に示すように、帯状鋼板ｔの側部ｔ1を接触させて案内するための短径の円柱状の案内溝部２ｍが形成されており、案内溝部２ｍの上下寸法ｓ1は、帯状鋼板ｔとのクリアランスを有するように帯状鋼板ｔの厚さより大きく設定されている。
【００２２】
ガイドリフターロール２の案内溝部２ｍの下方には、案内溝部２ｍより長径の円柱状の摺動軸部２ｓが形成されており、摺動軸部２ｓ下方には圧縮コイルバネｅ2による上向きの付勢力のストッパの役割を担うための摺動軸部２ｓより長径の円柱状のフランジ部２ｆが形成されている。
【００２３】
帯状鋼板ｔが搬送されるダイプレート３には、図１、図２(ｂ)に示すように、ガイドリフターロール２の通板ラインＬに直交する方向の移動を案内するガイド用長穴２ｈが穿孔されており、ガイドリフターロール２の摺動軸部２ｓが、ガイド用長穴２ｈ内を長手方向に案内され通板ラインＬに直交する方向に摺動可能となっている。
【００２４】
ガイドリフターロール２の摺動軸部２ｓは、図２に示すように、上下に一対配設された圧縮コイルバネｅ2、ｅ2の付勢力をもって側部から摺動支持部材４により、帯状鋼板ｔの通板ラインＬ中心に向けて付勢されている。
【００２５】
この摺動支持部材４は、図２(ｂ)に示すように、ガイドリフターロール２の摺動軸部２ｓが垂直軸廻りに回転可能なように摺動軸部２ｓ外面に沿った円筒状の受け部４ａを備えており、案内孔４ｈ内で通板ラインＬに対して進退可能にガイドされている。  この構成により、ガイドリフターロール２の摺動軸部２ｓは、ガイド用長穴２ｈ内面および摺動支持部材４の受け部４ａにより垂直軸廻りに回転可能に支持されている。
【００２６】
ここで、案内孔４ｈには、ガイド用長穴２ｈ近傍域において寸法が小さく設定されたストッパ部４ｓが形成されており、帯状鋼板ｔが正規の搬送路Ｌ1に位置して搬送されている場合にはガイドリフターロール２の摺動軸部２ｓが、ガイド用長穴２ｈ内の中立位置に在り、摺動支持部材４がガイド用長穴２ｈ内の所定位置から先に進行しようとするとストッパ部４ｓに当接して進行せず、図２(ｂ)に示すように、ガイドリフターロール２の摺動軸部２ｓと離間するよう構成されている。
【００２７】
このように、ガイドリフターロール２は、ガイド用長穴２ｈ内の中立位置において摺動支持部材４と接触しないので、圧縮コイルバネｅ2、ｅ2による弾性力が摺動支持部材４を介して付与されず、摺動支持部材４の摩擦抵抗力を受けることなく垂直軸廻りに自在に回転可能である。  そのため、帯状鋼板ｔが正規の搬送路Ｌ1に位置して搬送されている場合にはガイドリフターロール２が圧縮コイルバネｅ2、ｅ2による弾性力を受けることなく、搬送される帯状鋼板ｔがガイドリフターロール２からの抵抗力を受けることはなく、通板ラインＬに沿って円滑に搬送される。
【００２８】
また、ガイドリフターロール２は、図２(ａ)に示すように、ダイ設置台６内のバネ台５ａ上に垂直に配設された圧縮コイルバネｅ1によりロール台座５ｂを介して、上方向に付勢され上下方向にスラスト自在に弾性的に支持されており、ガイドリフターロール２の長径のフランジ部２ｆがストッパとしてダイプレート３に当接している。
【００２９】
このように、ガイドリフターロール２が、上下方向に弾性的に支持されることにより、帯状鋼板ｔが通板ラインＬに沿って搬送される際、上下方向にブレが生じた場合にも、帯状鋼板ｔを案内するガイドリフターロール２が帯状鋼板ｔの上下動に追随して上下動しつつ上下方向の定常位置になるよう案内するので、搬送される帯状鋼板ｔからガイドリフターロール２が損傷を受けることが未然に防止される。  また、ガイドリフターロール２が搬送される帯状鋼板ｔの抵抗となることが防止され、帯状鋼板ｔの搬送を円滑に行なうことができる。
【００３０】
なお、上述した実施例においては、ガイドリフターロール２が、垂直に配設された圧縮コイルバネｅ1により下方から上方に向けて付勢される場合を例示したが、ガイドリフターロール２を、さらに上方から下方に向けて付勢されるように構成して、上下両方向に弾性的に支持されるように構成してもよい。
【００３１】
上記構成によれば、ガイドリフターロール２は、通板ラインＬに直交してその中心に向けて弾性体ｅ2、ｅ2で付勢され進退可能であるので、被加工板の帯状鋼板ｔが通板路Ｌ1より蛇行して搬送されると、通板ラインＬ中央側に押し戻されるため、通板路Ｌ1からズレて搬送されることが防止される。  そのため、各ステーションの金型装置は、定常位置に搬送される帯状鋼板ｔのパイロットホールｐ、ｐにパイロットピンを円滑に挿入して正しく位置決めし、所望の打ち抜きを行なうことができ、加工精度が向上するとともに、蛇行を抑えることから帯状鋼板ｔの幅を打抜き片の幅と近似でき、材料の歩留まりも向上する。
【００３２】
ここで、図２(ｂ)に示すように、ガイドリフターロール２の摺動軸部２ｓが、ガイド用長穴２ｈ内を長手方向に移動自在に案内されて、加工材の帯状鋼板ｔが定常位置に搬送されている場合には、ガイドリフターロール２の摺動軸部２ｓが、ガイド用長穴２ｈ内の中立位置にあって、弾性体ｅ2、ｅ2による付勢力から開放されるため、抵抗力を受けることなくガイド用長穴２ｈ内で自在に回転することができる。
【００３３】
そのため、加工材の帯状鋼板ｔが搬送路Ｌ1の定常位置に搬送されている場合には、ガイドリフターロール２がガイド用長穴２ｈ内で抵抗力を受けることなく自在に回転して帯状鋼板ｔを案内し、搬送される帯状鋼板ｔに抵抗力を付与することなく円滑な搬送を行なえる。  また、ガイドリフターロール２が、自在に回転するため、搬送される帯状鋼板ｔによって損傷を受けることが未然に防止される。
【００３４】
また、ガイドリフターロール２は、垂直に配設された圧縮コイルバネｅ1によりロール台座５ｂを介して、上下方向にスラスト自在に弾性的に支持されるので、帯状鋼板ｔが上下方向に波打ちして搬送される場合には、ガイドリフターロール２は帯状鋼板ｔに追随して弾性的に上下動しながら帯状鋼板ｔを上下方向の定常位置に案内するので、ガイドリフターロール２が搬送される帯状鋼板ｔに抵抗力を付与することなく案内することが可能であり、また、ガイドリフターロール２が搬送される帯状鋼板ｔによって損傷を受けることが防止される。  従って、ガイドリフターロール２を長期に亘って使用できる。
【００３５】
なお、上述した実施例においては、ガイドリフターロール２を、帯状鋼板ｔの通板ラインＬ中心に向けて付勢する圧縮コイルバネｅ2、ｅ2を２本用いた場合を例示して説明したが、ガイドリフターロール２に対して、帯状鋼板ｔの通板ラインＬ中心に向けて付勢する弾性力を付与すれば、圧縮コイルバネの本数は、２本に限定されず任意に選択できることは言うまでもない。
【００３６】
また、帯状鋼板ｔを通板ラインＬ中心に向けて付勢する弾性力を付与する弾性体であれば、板バネ等、弾性体を適宜選択して使用でき、必ずしも圧縮コイルバネに限定されるものではない。
【００３７】
同様に、ガイドリフターロール２を、圧縮コイルバネｅ1の弾性力により上向きに付勢する場合を例示したが、上向きに弾性力を付与する弾性体であれば、板バネ等、必ずしも圧縮コイルバネに限定されない。
【００３８】
また、上述した実施例においては、各ステーションの各金型装置領域に通板路Ｌ1を挟んでガイドリフターロール２を１対乃至２対配設した場合を例示したが、各ステーションの各金型装置領域に配設するガイドリフターロール２の数は、少なくとも１対以上であれば、特に限定されるものではない。
【図面の簡単な説明】
【００３９】
【図１】本発明に関わる実施例の順送り金型装置の各ステーションを示す上面図。
【図２】(ａ)および(ｂ)は、図１のＡ−Ａ線断面図、および(ａ)図のＢ−Ｂ線断面図。
【図３】従来のプレス加工装置を示す平面図。
【符号の説明】
【００４０】
１…順送り金型装置、
２…ガイドリフターロール、
４…摺動支持部材、
５ｂ…ロール台座(台座)、
ｅ1…圧縮コイルバネ(第１弾性体)、
ｅ2…圧縮コイルバネ(第２弾性体)、
Ｌ…通板ライン、
Ｌ1…通板路、
ｔ…帯状鋼板(被加工板)。
【図１】
2007160358.tif 000003
【図２】
2007160358.tif 000004
【図３】
2007160358.tif 000005